(57)【特許請求の範囲】
【請求項１】
シートクッション及びシートバックよりなるシート本体と、
該シート本体を支承するレールと、
該レールの上側又は下側に配置された、１対のサイドベース同士をタイベースで連結してなる平面視形状がＨ字形状のシートマウントベースと、
該シート本体に着座した乗員から該シートマウントベースに加えられる全荷重を検出するために該シートマウントベースに設けられた複数の荷重センサと
を備えてなる車両のシート装置であって、
該シートマウントベースに信号変換ユニットが設置され、
前記荷重センサからの信号伝達用のリード線が該信号変換ユニットに接続されていることを特徴とする車両のシート装置。
【請求項２】
ガス発生量を制御しうるガス発生手段と、該ガス発生手段からのガスによって膨張するエアバッグとを有するエアバッグ装置において、
請求項１のシート装置の荷重センサの重量検出値に基づいて該ガス発生手段のガス発生量を制御する制御手段を設け、前記信号変換ユニットから荷重信号を該制御手段へ出力するようにしたことを特徴とするエアバッグ装置。
【発明の詳細な説明】
【０００１】
【発明の属する技術分野】
本発明は車両のシート装置及びエアバッグ装置に関するものである。
【０００２】
【従来の技術】
車両のシートに荷重センサを設けることが実開昭４７−３０２１９号公報及び特開平７−２８５３６４号公報に記載されている。前者は乗員の着座の有無を検知するためのものであり、後者は乗員の着座の位置を検知するためのものである。
【０００３】
【発明が解決しようとする課題】
エアバッグ装置は、周知の通り、車両が衝突したときにエアバッグを膨張させ、膨張したエアバッグによって乗員を受け止めるようにした乗員保護装置であるが、乗員をより十分に保護しうるようにすることが期待されている。
【０００４】
本発明は、乗員の体重が少ないときにはエアバッグ内に比較的少量のガスを供給し、体重が多いときにはエアバッグ内に比較的多量のガスを供給するようにしたエアバッグ装置を提供しうるようにすることを目的とする。
【０００５】
【課題を解決するための手段】
本発明の車両のシート装置は、シートクッション及びシートバックよりなるシート本体と、該シート本体を支承するレールと、該レールの上側又は下側に配置された、１対のサイドベース同士をタイベースで連結してなる平面視形状がＨ字形状のシートマウントベースと、該シート本体に着座した乗員から該シートマウントベースに加えられる全荷重を検出するために該シートマウントベースに設けられた複数の荷重センサとを備えてなる車両のシート装置であって、該シートマウントベースに信号変換ユニットが設置され、前記荷重センサからの信号伝達用のリード線が該信号変換ユニットに接続されていることを特徴とするものである。
【０００６】
本発明のエアバッグ装置は、ガス発生量を制御しうるガス発生手段と、該ガス発生手段からのガスによって膨張するエアバッグとを有するエアバッグ装置において、請求項１のシート装置の荷重センサの重量検出値に基づいて該ガス発生手段のガス発生量を制御する制御手段を設け、前記信号変換ユニットから荷重信号を該制御手段へ出力するようにしたことを特徴とするものである。
【０００７】
かかる本発明によれば、シートに座った乗員の体重に応じてガス発生手段からのガス発生を制御しうる。
【０００８】
【発明の実施の形態】
以下図面を参照して本発明の実施の形態について説明する。第１図は参考例に係る車両のシート装置を示すものであり、（ａ）図は斜視図、（ｂ）図は荷重センサの設置状態を示す側面図である。
【０００９】
シートクッション１及びシートバック２を有するドライバシート又はパッセンジャシートのシート本体（以下、シートと略）３は、その底面にシートアジャスタ４が固定され、このシートアジャスタ４がレール５に対し車両前後方向にスライド可能に係合している。レール５の前端及び後端は、それぞれレールマウントブラケット６，７によって車体側メンバ（図示略）に固定される。
【００１０】
第１図（ｂ）に示す通り、このレール５とレールマウントブラケット６，７との間に荷重センサ８，９が設けられている。
【００１１】
第２図は、この荷重センサ８，９からの検出信号に応じてエアバッグ装置のガス発生量を制御しうるようにしたエアバッグ装置のブロック図である。
【００１２】
エアバッグ装置１０は、エアバッグ１１を膨張させるために複数個のインフレータ１２よりなるガス発生手段を備えており、このインフレータ１２はエアバッグ装置のコントローラ１３からの信号によりガス発生作動する。このコントローラ１３には衝突センサ１４から衝突検知信号が入力される。また、このコントローラ１３には前記各センサ８，９から荷重検出信号が入力されている。なお、シート３の左右両側辺に配置されたレール５にそれぞれ荷重センサ８，９が設けられているため、合計４個の荷重センサ８，８，９，９から該コントローラ１３に荷重検出信号が入力されている。
【００１３】
衝突センサ１４が衝突を検知した場合、コントローラ１３は荷重センサ８，９からの検出信号によって求まる着座乗員の体重に応じてインフレータ１２の作動個数を決定し、エアバッグ装置１０へ信号を送る。この信号により、指定された数のインフレータ１２が作動し、エアバッグ１１が膨張する。
【００１４】
シート３に着座した乗員の体重が所定値よりも小さいときには、この実施の形態では１個のインフレータ１２が作動し、エアバッグ１１内に比較的少量のガスが供給され、これによりエアバッグ１１の内圧が比較的低いものとされる。即ち、エアバッグ１１は比較的柔らかく展開したものとなる。車両乗員の体重が小さいので、この比較的軟かいエアバッグ１１でも乗員を十分に受け止めることが可能である。
【００１５】
シート３に着座した乗員の体重が所定値よりも大きいときには、２個のインフレータ１２を作動させ、エアバッグ１１内に多量のガスを供給し、膨張したエアバッグ１１内のガス圧を高い値とする。これにより、大きな体重の乗員がエアバッグ１１に突っ込んできた場合でも、この乗員を十分に受け止めることが可能である。
【００１６】
なお、衝突センサ１４によって検出される衝突の規模が大きいときには、体重の大小に関わらずエアバッグ１１内のガス圧を十分に大きくするように制御しても良い。逆に、衝突規模が小さいときには、体重の大小に関わらずエアバッグ１１内のガス圧を比較的低いものにするように制御しても良い。
【００１７】
このシート装置は、運転席用、助手席用のいずれにも適用することができる。
【００１８】
上記参考例にあっては荷重センサ８、９が個々に設置されているが、このような場合荷重センサの車体への組み付けに手間がかかると共に、組み付け時にリード線を引掛けたりするおそれがある。第３図はこのような短所を解決するために、シートをシートマウントベース２０を介して支持し、このシートマウントベース２０に荷重センサ２１を搭載し、荷重センサ２１からのリード線２２を該シートマウントベース２０上をはわせて引き回し、該シートマウントベース２０上に信号変換ユニット２３を設けて該リード線２２を該信号変換ユニット２３に接続し、該信号変換ユニット２３から荷重信号をリード線２４を介してエアバッグ装置のコントローラへ出力するようにしたものである。２５は該リード線２４の先端のコネクタを示す。なお、第３図は実施の形態に係るシート装置に用いられるシートマウントベースの斜視図である。
【００１９】
このシートマウントベース２０は、１対のサイドベース２６、２６同士をタイベース２７で連結した平面視形状がＨ字形状のものである。なお、シートマウントベース２０はこのように３部材にて構成されたものに限定されるものではなく、２部材又は４部材以上で構成されても良く、１部材で構成されたもの（即ち、全体として一体成形されたもの）であっても良い。
【００２０】
このシートマウントベース２０は、その上面に前記レール５が設置されても良く、シートマウントベース２０の下側にレール５が設置されても良い。
【００２１】
信号変換ユニット２３は、ストレインゲージなどの荷重センサ２１からの信号を処理して荷重を演算し、この荷重データ信号をリード線２４から出力する。
【００２２】
この第３図のシートマウントベース２０を採用することにより、荷重センサの組み付け作業効率が大幅に向上すると共に、リード線の保全を図ることも可能となる。なお、上記の各リード線の保護材（例えばシース）を設けても良い。
【００２３】
【発明の効果】
以上の通り、本発明のシート装置は、シートに着座した乗員の体重を検出できる。そして、このシート装置によって検出された体重に応じて、エアバッグ装置のガス発生手段のガス発生量を制御することにより、車両衝突時に膨張するエアバッグの内圧を体重に応じて制御し、体重に応じた乗員の保護を行うことが可能とされる。
【図面の簡単な説明】
【図１】  参考例に係るシート装置を示す斜視図と要部側面図である。
【図２】  参考例に係るエアバッグ装置のブロック図である。
【図３】  実施の形態に係るシート装置に用いられるシートマウントベースの斜視図である。
【符号の説明】
３  シート（シート本体）
５  レール
６，７  レールマウントブラケット
８，９  荷重センサ
１０  エアバッグ装置
１１  エアバッグ
１２  インフレータ
１３  コントローラ
２０  シートマウントベース
２１  荷重センサ
２２，２４  リード線
【図１】
0004079479.tif 000002
【図２】
0004079479.tif 000003
【図３】
0004079479.tif 000004